(57)【要約】【課題】絶縁材でモールドした高電圧電源11の絶縁を自動的に評価できる絶縁評価装置21を提供する。【解決手段】撮影装置22により、絶縁材でモールドした高電圧電源11を透視撮影する。測定手段35により、透視撮影した透視像に基づいて高電圧電源11の絶縁距離、空間距離、沿面距離などの各評価項目についてのデータを測定する。比較手段37により、高電圧電源11の各評価項目について、測定された測定データと記憶手段36に予め記憶している評価基準データとを比較する。評価手段38により、比較結果に応じて高電圧電源11の絶縁を評価する。【選択図】図１
2008145357.tif 000002
【特許請求の範囲】
【請求項１】
絶縁材でモールドした高電圧電源を透視撮影する工程と、
透視撮影された透視像に基づいて高電圧電源の絶縁を評価する所定の評価項目についてのデータを測定する工程と、
高電圧電源の絶縁を評価する所定の評価項目について、測定された測定データと予め設定されている評価基準データとを比較する工程と、
比較結果に応じて高電圧電源の絶縁を評価する工程と
を具備していることを特徴とする高電圧電源の絶縁評価方法。
【請求項２】
絶縁材でモールドした高電圧電源を透視撮影する撮影装置と、
この撮影装置で撮影された透視像に基づいて前記高電圧電源の絶縁を評価する所定の評価項目についてのデータを測定する測定手段と、
前記高電圧電源の絶縁を評価する所定の評価項目についての評価基準データを記憶する記憶手段と、
前記測定手段で測定された測定データと前記記憶手段に記憶されている評価基準データとを比較する比較手段と、
この比較手段による比較結果に応じて高電圧電源の絶縁を評価する評価手段と
を具備していることを特徴とする高電圧電源の絶縁評価装置。
【発明の詳細な説明】
【技術分野】
【０００１】
本発明は、絶縁材でモールドした高電圧電源の絶縁を評価する高電圧電源の絶縁評価方法およびその装置に関する。
【背景技術】
【０００２】
従来、例えばＸ線イメージ管の加速電源などには、高電圧発生・出力部を有する高電圧電源が用いられている。このような高電圧電源は、通常、信頼性の面からシリコーン樹脂やエポキシ樹脂などの絶縁材でモールドしている。
【０００３】
このような高電圧電源では、モールド内の素子とモールド表面との距離つまり絶縁距離、充電部同士の直線距離つまり空間距離、充電部同士の電気的経路の距離つまり沿面距離などが、寿命などの信頼性に多大な影響を及ぼし、延いては市場品質にも影響する。
【０００４】
ところで、非破壊検査の分野では、Ｘ線検査装置によって被検査物を透視撮影し、被検査物の内部を検査することが一般的である（例えば、特許文献１参照）。
【０００５】
しかし、高電圧電源の絶縁に関する距離は設計値や工程での製造上の理論値のみで管理されているのが通常であり、または高電圧電源の信頼性はランニングなどの寿命試験で兼ねることが多い。
【特許文献１】特開２０００−３９４０４号公報（第２−３頁、図１−２）
【発明の開示】
【発明が解決しようとする課題】
【０００６】
しかしながら、高電圧電源の絶縁に関する距離は設計値や工程での製造上の理論値のみで管理されているのが通常であり、または高電圧電源の信頼性はランニングなどの寿命試験で兼ねることが多く、絶縁材でモールドした高電圧電源の絶縁の信頼性が十分でない。
【０００７】
そのため、高電圧電源の素子の状態、素子の実装状態、モールドの脱泡状態、モールド内での素子の固定状態などは個体差を持つことが通常で、この個体差によっては絶縁距離が不足したり、素子のチャージアップや素子の実装面仕上げによる部分放電、経時劣化による出力部からのサージ逆流などにより、モールド破壊が進み、絶縁破壊を起こして故障となる場合がある。
【０００８】
特に、Ｘ線イメージ管用の加速電源などのように、高電圧電源を格納するスペースがコンパクトであることが求められる場合には、高電圧電源そのものも小型化が要求され、このような問題の発生のおそれが高くなる。
【０００９】
本発明は、このような点に鑑みなされたもので、絶縁材でモールドした高電圧電源の絶縁を自動的に評価できる高電圧電源の絶縁評価方法およびその装置を提供することを目的とする。
【課題を解決するための手段】
【００１０】
本発明の高電圧電源の絶縁評価方法は、絶縁材でモールドした高電圧電源を透視撮影する工程と、透視撮影された透視像に基づいて高電圧電源の絶縁を評価する所定の評価項目についてのデータを測定する工程と、高電圧電源の絶縁を評価する所定の評価項目について、測定された測定データと予め設定されている評価基準データとを比較する工程と、比較結果に応じて高電圧電源の絶縁を評価する工程とを具備しているものである。
【００１１】
また、本発明の高電圧電源の絶縁評価装置は、絶縁材でモールドした高電圧電源を透視撮影する撮影装置と、この撮影装置で撮影された透視像に基づいて前記高電圧電源の絶縁を評価する所定の評価項目についてのデータを測定する測定手段と、前記高電圧電源の絶縁を評価する所定の評価項目についての評価基準データを記憶する記憶手段と、前記測定手段で測定された測定データと前記記憶手段に記憶されている評価基準データとを比較する比較手段と、この比較手段による比較結果に応じて高電圧電源の絶縁を評価する評価手段とを具備しているものである。
【発明の効果】
【００１２】
本発明によれば、絶縁材でモールドした高電圧電源を透視撮影し、透視撮影された透視像に基づいて高電圧電源の絶縁を評価する所定の評価項目についてのデータを測定し、高電圧電源の絶縁を評価する所定の評価項目について測定された測定データと予め設定されている評価基準データとを比較し、比較結果に応じて高電圧電源の絶縁を自動的に評価することができ、そのため、高電圧電源の品質および市場品質を向上でき、高電圧電源を使用した製品の信頼性を向上させることができる。
【発明を実施するための最良の形態】
【００１３】
以下、本発明の一実施の形態を図面を参照して説明する。
【００１４】
図２および図３に高電圧電源を模式的に示す。高電圧電源11は、例えばＸ線イメージ管用加速電源などで、素子12を有し、この素子12が例えばシリコーン樹脂やエポキシ樹脂などの絶縁材13を用いたモールド部14でモールドされている。なお、ここでは素子12を代表として１つのみ示しているが、実際は複数存在する。そのため、モールド部14内の素子12とモールド部14の表面との距離つまり絶縁距離a1，a2、素子12同士の直線距離つまり空間距離、素子12同士の電気的経路の距離つまり沿面距離などが、高電圧電源11の絶縁を評価する所定の評価項目に含まれる。
【００１５】
図１に高電圧電源の絶縁評価装置を示す。この絶縁評価装置21は、高電圧電源11を透視撮影する撮影装置22、絶縁評価装置21を制御する制御部23、および撮影した透視像などを表示するモニタ24などを備えている。
【００１６】
撮影装置22は、高電圧電源11にＸ線を照射するＸ線発生手段27、高電圧電源11を透過したＸ線像を可視光像に変換するＸ線イメージ管などのＸ線変換部28、このＸ線変換部28で変換された可視光像を撮像する例えばＣＣＤカメラなどの撮像部29、およびこの撮像部29を制御する制御機構30を備えている。
【００１７】
Ｘ線発生手段27は、Ｘ線を発生するＸ線管などのＸ線発生部31、およびこのＸ線発生部31を制御するＸ線制御部32を有している。このＸ線発生手段27は、制御部23で制御される。
【００１８】
そして、制御部23は、パーソナルコンピュータなどで構成され、撮影装置22で撮影された透視像の撮像データに基づいて高電圧電源11の絶縁を評価する所定の評価項目（絶縁距離a1，a2、空間距離および沿面距離など）についてのデータを測定する測定手段35の機能、高電圧電源11の絶縁を評価する所定の評価項目（絶縁距離a1，a2、空間距離および沿面距離など）について高電圧電源11の定格や設計値などから予め決められた評価基準データを記憶する記憶手段36、測定手段35で測定された測定データと記憶手段36に記憶されている評価基準データとを比較する比較手段37の機能、および比較手段37による比較結果に応じて高電圧電源11の絶縁を評価する評価手段38の機能を有している。測定手段35は、撮影装置22で撮影された透視像の撮像データから評価項目を測定する画像処理ソフトなどで構成されており、評価項目の絶縁に関する距離は最小値を測定する。
【００１９】
次に、絶縁評価装置21による高電圧電源11の絶縁評価方法について説明する。
【００２０】
撮影装置22の所定の撮影位置にセットした高電圧電源11に対してＸ線発生部31からＸ線を照射し、この高電圧電源11を透過したＸ線像をＸ線変換部28で可視光像に変換し、この可視光像を撮像部29で撮像し、撮像部29で撮像した高電圧電源11の透過像の撮像データを制御機構30で補正し、この制御機構30から高電圧電源11の透過像の撮像データを制御部23およびモニタ24に伝送する。モニタ24では、高電圧電源11の透過像を表示する。
【００２１】
制御部23は、まず、測定手段35により、高電圧電源11の透視像の撮像データに基づいて高電圧電源11の絶縁を評価する絶縁距離a1，a2、空間距離および沿面距離などの各評価項目についてのデータを測定する。続いて、比較手段37により、測定手段35で測定された各評価項目の測定データと記憶手段36に予め記憶されている各評価項目の評価基準データとを比較する。続いて、評価手段38により、比較手段37による比較結果に応じて各評価項目における高電圧電源11の絶縁を評価する。
【００２２】
評価の結果により、例えば絶縁距離＝絶縁特性が分るため、寿命などの信頼性データが分り、市場品質に問題のある高電圧電源11は事前に不合格とすることができる。
【００２３】
このように、高電圧電源11の絶縁距離、空間距離、沿面距離などを自動的に測定できるとともに、高電圧電源11の定格や設計値などとの比較による評価が自動的にできるため、高電圧電源11の品質および市場品質を向上でき、高電圧電源11を使用した製品の信頼性を向上させることができる。
【図面の簡単な説明】
【００２４】
【図１】本発明の一実施の形態を示す高電圧電源の絶縁評価装置の構成図である。
【図２】同上高電圧電源を模式的に示す平面図である。
【図３】同上高電圧電源を模式的に示す側面図である。
【符号の説明】
【００２５】
11    高電圧電源
13    絶縁材
21    絶縁評価装置
22    撮影装置
35    測定手段
36    記憶手段
37    比較手段
38    評価手段
【図１】
2008145357.tif 000003
【図２】
2008145357.tif 000004
【図３】
2008145357.tif 000005